(57)【要約】【課題】遊技領域に立体装飾部を形成することが可能であり、さらに遊技球が立体装飾部に接触する可能性を低減させることができ、それにより遊技球が安定して転動し、遊技球の動きが調整し易くなる弾球遊技機を提供する。【解決手段】遊技球の転動通路空間９７１は、第一区画部材９６１と第二区画部材９４１で構成され、前記第一区画部材９６１と前記第二区画部材９４１のうち何れか一方の区画部材には前記転動通路空間９７１内に突出した立体装飾部９６７を設ける一方、前記遊技球進入部９５３から前記転動通路空間９７１に進入してきた遊技球を前記立体装飾部９６７に接触するのを避ける方向へ進路変更させる接触防止部９４５を、前記遊技球進入部９５３から離して前記転動通路空間９７１内に設けた。【選択図】      図３
2005152489.tif 000002
【特許請求の範囲】
【請求項１】
遊技球が打ち込まれる遊技領域の形成された遊技盤と、
前記遊技盤上に設けられ、遊技球進入部と前記遊技球進入部から進入してきた遊技球を転動させた後に落下させる転動通路空間とを有する転動部材と、
を備えた弾球遊技機において、
前記転動通路空間は第一区画部材と第二区画部材で構成されており、前記第一区画部材と前記第二区画部材のうち何れか少なくとも一方の区画部材には前記転動通路空間内に突出した立体装飾部を設ける一方、前記遊技球進入部から前記転動通路空間に進入してきた遊技球を前記立体装飾部に接触するのを避ける方向へ進路変更させる接触防止部を、前記遊技球進入部から離して前記転動通路空間内に設け、
前記転動通路空間のうち遊技球が転動可能な転動可能幅を、前記遊技球進入部から前記接触防止部までの区間よりも前記接触防止部が設けられた区間の方で幅狭にしたことを特徴とする弾球遊技機。
【請求項２】
前記接触防止部は、前記遊技球進入部から進入してきた遊技球を徐々に進路変更可能なように前記遊技球進入部側の端部が流線形からなることを特徴とする請求項１に記載の弾球遊技機。
【請求項３】
前記転動通路空間は、第一転動通路空間と第二転動通路空間が連通してなり、
前記第一転動通路空間は、上方に前記遊技球進入部が形成されると共に前記遊技球進入部から進入した遊技球を略垂直方向へ流下させるように略垂直に配設される一方、
前記第二転動通路空間は、前記第一転動通路空間から流下してきた遊技球の変動方向を略水平方向へ変更可能に略水平に配設されると共に、前記第二転動通路空間内に前記立体装飾部及び前記接触防止部が形成されていることを特徴とする請求項１又は２に記載の弾球遊技機。
【請求項４】
前記第一区画部材と前記第二区画部材とは、前記遊技盤に対して、前後方向に組み合わされており、前記第一区画部材と前記第二区画部材のうち後方側の区画部材に前記立体装飾部を設けたことを特徴とする請求項１から３の何れか一項に記載の弾球遊技機。
【請求項５】
遊技球が打ち込まれる遊技領域の形成された遊技盤と、
遊技状態を報知する電気的遊技装置と、
前記遊技領域に配設され、前記電気的遊技装置を装飾する装飾部材と、
を備え、
前記装飾部材が、前記装飾部材に進入してきた遊技球を転動させた後に落下させる転動通路空間を有する弾球遊技機において、
前記転動通路空間には、遊技球が転動する転動通路面と、前記転動通路面に近接すると共に凹部と凸部の双方あるいは一方の何れかにより形成されて前記転動通路面との位置関係が略垂直の立体装飾部と、前記転動通路面と前記立体装飾部との近接領域に、前記転動通路面を転動する遊技球が前記立体装飾部に接触することを防止するために形成された接触防止部と、
を備えたことを特徴とする弾球遊技機。
【請求項６】
前記転動通路面の少なくとも一部と前記立体装飾部の少なくとも一部は別部材で構成され、前記接触防止部は、前記転動通路面側と前記立体装飾部側の双方あるいは何れか一方に形成されていることを特徴とする請求項５に記載の弾球遊技機。
【請求項７】
前記転動通路面の少なくとも一部と前記立体装飾部の少なくとも一部は一体に形成され、前記接触防止部は、前記転動通路面側と前記立体装飾部側の双方あるいは何れか一方に形成されていることを特徴とする請求項５に記載の弾球遊技機。
【請求項８】
前記装飾部材は、前記転動通路面の形成された転動通路面用部材と、前記立体装飾部の形成された特定装飾部材とを少なくとも備え、
前記特定装飾部材が、前記電気的遊技装置と前記転動通路面用部材との間に設けられると共に前記電気的遊技装置の少なくとも一部を保護する保護部材であることを特徴とする請求項５に記載の弾球遊技機。
【請求項９】
前記接触防止部が、前記転動通路面用部材又は前記特定装飾部材の双方又は何れか一方に形成されていることを特徴とする請求項８に記載の弾球遊技機。
【請求項１０】
前記接触防止部は、前記転動通路面を転動する遊技球が接触する遊技球接触面を備え、前記遊技球接触面が平坦面であることを特徴とする請求項５から９の何れか一項に記載の弾球遊技機。
【請求項１１】
前記遊技領域には遊技球の入賞領域が設けられ、前記転動通路空間には前記転動通路面を転動する遊技球を落下させて前記入賞領域へ誘導する遊技球誘導形状からなる遊技球誘導部を設けたことを特徴とする請求項５から１０の何れか一項に記載の弾球遊技機。
【請求項１２】
前記接触防止部は、前記転動通路面を転動する遊技球が前記立体装飾部に接触しないように前記遊技盤に対して前方方向に厚みを有することを特徴とする請求項５から１１の何れか一項に記載の弾球遊技機。
【請求項１３】
前記立体装飾部は、前記転動通路面を転動する遊技球の最上部よりも下方側に前記凹部と前記凸部の双方あるいは一方の少なくとも一部が形成されていることを特徴とする請求項５から１２の何れか一項に記載の弾球遊技機。
【請求項１４】
前記転動通路空間は、前記遊技球が揺動可能な揺動通路部と、前記遊技領域を流下する遊技球を前記揺動通路部へ案内する案内通路部とよりなり、前記揺動通路部に前記接触防止部を設けたことを特徴とする請求項５から１３の何れか一項に記載の弾球遊技機。
【請求項１５】
前記案内通路部と前記揺動通路部の連通部分に前記接触防止部の端部が位置すると共に、前記接触防止部の端部は、前記案内通路部側から前記揺動通路部側へかけて厚みが漸増していることを特徴とする請求項１４に記載の弾球遊技機。
【請求項１６】
前記案内通路部は遊技球を略垂直方向へ流下可能に略垂直に配設される一方、前記揺動通路部は前記案内通路部を流下して案内されてきた遊技球の転動方向を略水平方向へ変更可能に略水平に配設されることを特徴とする請求項１４又は１５に記載の弾球遊技機。
【請求項１７】
前記装飾部材には、前記遊技盤に対する着脱自在な遊技盤取付部を備えることを特徴とする請求項５から１６の何れか一項に記載の弾球遊技機。
【請求項１８】
前記転動通路面には前記接触防止部よりも遊技盤の前方側に、かつ前記接触防止部との間に遊技球の転動可能な間隔をあけて遊技球落下防止壁を形成したことを特徴とする請求項５から１７の何れか一項に記載の弾球遊技機。
【請求項１９】
前記転動通路面は、前記遊技盤の前面に対して略平行な第一転動通路面と前記第一転動通路面の前方下方側にあって前記遊技盤の前面に対して略平行な第二転動通路面とを備え、前記第一転動通路面の後方側に前記立体装飾部が位置することを特徴とする請求項５から１８の何れか一項に記載の弾球遊技機。
【請求項２０】
遊技球が打ち込まれる遊技領域の形成された遊技盤と、
前記遊技領域に配設された装飾部材と、
を備え、
前記装飾部材は前記装飾部材に進入してきた遊技球を転動させた後に落下させる転動通路空間を有する弾球遊技機において、
前記転動通路空間には、遊技球が転動する転動通路面と、前記転動通路面に近接する凹部と凸部の双方あるいは一方の何れかにより形成されて前記転動通路面との位置関係が略垂直の立体装飾部と、前記転動通路面と前記立体装飾部との近接領域に、前記転動通路面を転動する遊技球が前記立体装飾部に接触することを防止するために形成された接触防止部と、
を備えたことを特徴とする弾球遊技機。
【発明の詳細な説明】
【技術分野】
【０００１】
本発明は、パチンコ遊技機等に代表される弾球遊技機に関する。
【背景技術】
【０００２】
従来、パチンコ遊技機等の弾球遊技機には、遊技盤の遊技領域を流下し、進入してきた遊技球が転動可能な転動通路面を有する弾球遊技機がある。例えば、進入してきた遊技球を転動させた後に遊技盤面に向けて落下させるステージと、遊技盤側に固定されて前記ステージを保持するステージ保持部材と、遊技盤面側から前記ステージに向けて遊技球を導く導入機構とを備え、前記ステージを前記保持部材に対して着脱自在とした弾球遊技機がある。
【特許文献１】特開平１１−１９２８９号公報
【発明の開示】
【発明が解決しようとする課題】
【０００３】
しかしながら、弾球遊技機には、図５の「接触防止部が無い場合のＡ−Ａ参考断面図」に示すように、装飾性を高めるために立体装飾部９６７が設けられることがあり、その場合、遊技領域を転動する遊技球Ｐが立体装飾部９６７に接触した際に遊技球Ｐが不安定に転動するため、遊技球の動きの調整が難しくなるおそれがある。
【０００４】
本発明は、前記の点に鑑みなされたものであって、遊技領域に立体装飾部を形成することが可能であり、さらに遊技球が立体装飾部に接触する可能性を低減させることができ、それにより遊技球が安定して転動し、遊技球の動きを調整し易くなる弾球遊技機の提供を目的とする。
【課題を解決するための手段】
【０００５】
請求項１の発明は、遊技球が打ち込まれる遊技領域の形成された遊技盤と、前記遊技盤上に設けられ、遊技球進入部と前記遊技球進入部から進入してきた遊技球を転動させた後に落下させる転動通路空間とを有する転動部材と、を備えた弾球遊技機において、前記転動通路空間は第一区画部材と第二区画部材で構成されており、前記第一区画部材と前記第二区画部材のうち何れか少なくとも一方の区画部材には前記転動通路空間内に突出した立体装飾部を設ける一方、前記遊技球進入部から前記転動通路空間に進入してきた遊技球を前記立体装飾部に接触するのを避ける方向へ進路変更させる接触防止部を、前記遊技球進入部から離して前記転動通路空間内に設け、前記転動通路空間のうち遊技球が転動可能な転動可能幅を、前記遊技球進入部から前記接触防止部までの区間よりも前記接触防止部が設けられた区間の方で幅狭にしたことを特徴とする。
【０００６】
請求項２の発明は、請求項１において、前記接触防止部は、前記遊技球進入部から進入してきた遊技球を徐々に進路変更可能なように前記遊技球進入部側の端部が流線形からなることを特徴とする。
【０００７】
請求項３の発明は、請求項１又は２において、前記転動通路空間は、第一転動通路空間と第二転動通路空間が連通してなり、前記第一転動通路空間は、上方に前記遊技球進入部が形成されると共に前記遊技球進入部から進入した遊技球を略垂直方向へ流下させるように略垂直に配設される一方、前記第二転動通路空間は、前記第一転動通路空間から流下してきた遊技球の転動方向を略水平方向へ変更可能に略水平に配設されると共に、前記第二転動通路空間内に前記立体装飾部及び前記接触防止部が形成されていることを特徴とする。
【０００８】
請求項４の発明は、請求項１から３の何れか一項において、前記第一区画部材と前記第二区画部材とは、前記遊技盤に対して、前後方向に組み合わされており、前記第一区画部材と前記第二区画部材のうち後方側の区画部材に前記立体装飾部を設けたことを特徴とする。
【０００９】
請求項５の発明は、遊技球が打ち込まれる遊技領域の形成された遊技盤と、遊技状態を報知する電気的遊技装置と、前記遊技領域に配設され、前記電気的遊技装置を装飾する装飾部材と、を備え、前記装飾部材が、前記装飾部材に進入してきた遊技球を転動させた後に落下させる転動通路空間を有する弾球遊技機において、前記転動通路空間には、遊技球が転動する転動通路面と、前記転動通路面に近接すると共に凹部と凸部の双方あるいは一方の何れかにより形成されて前記転動通路面との位置関係が略垂直の立体装飾部と、前記転動通路面と前記立体装飾部との近接領域に、前記転動通路面を転動する遊技球が前記立体装飾部に接触することを防止するために形成された接触防止部と、を備えたことを特徴とする。
【００１０】
請求項６の発明は、請求項５において、前記転動通路面の少なくとも一部と前記立体装飾部の少なくとも一部は別部材で構成され、前記接触防止部は、前記転動通路面側と前記立体装飾部側の双方あるいは何れか一方に形成されていることを特徴とする。
【００１１】
請求項７の発明は、請求項５において、前記転動通路面の少なくとも一部と前記立体装飾部の少なくとも一部は一体に形成され、前記接触防止部は、前記転動通路面側と前記立体装飾部側の双方あるいは何れか一方に形成されていることを特徴とする。
【００１２】
請求項８の発明は、請求項５において、前記装飾部材は、前記転動通路面の形成された転動通路面用部材と、前記立体装飾部の形成された特定装飾部材とを少なくとも備え、前記特定装飾部材が、前記電気的遊技装置と前記転動通路面用部材との間に設けられると共に前記電気的遊技装置の少なくとも一部を保護する保護部材であることを特徴とする。
【００１３】
請求項９の発明は、請求項８において、前記接触防止部が、前記転動通路面用部材又は前記特定装飾部材の双方又は何れか一方に形成されていることを特徴とする。
【００１４】
請求項１０の発明は、請求項５から９の何れか一項において、前記接触防止部は、前記転動通路面を転動する遊技球が接触する遊技球接触面を備え、前記遊技球接触面が平坦面であることを特徴とする。
【００１５】
請求項１１の発明は、請求項５から１０の何れか一項において、前記遊技領域には遊技球の入賞領域が設けられ、前記転動通路空間には前記転動通路面を転動する遊技球を落下させて前記入賞領域へ誘導する遊技球誘導形状からなる遊技球誘導部を設けたことを特徴とする。
【００１６】
請求項１２の発明は、請求項５から１１の何れか一項において、前記接触防止部は、前記転動通路面を転動する遊技球が前記立体装飾部に接触しないように前記遊技盤に対して前方方向に厚みを有することを特徴とする。
【００１７】
請求項１３の発明は、請求項５から１２の何れか一項において、前記立体装飾部は、前記転動通路面を転動する遊技球の最上部よりも下方側に前記凹部と前記凸部の双方あるいは一方の少なくとも一部が形成されていることを特徴とする。
【００１８】
請求項１４の発明は、請求項５から１３の何れか一項において、前記転動通路空間は、前記遊技球が揺動可能な揺動通路部と、前記遊技領域を流下する遊技球を前記揺動通路部へ案内する案内通路部とよりなり、前記揺動通路部に前記接触防止部を設けたことを特徴とする。
【００１９】
請求項１５の発明は、請求項１４において、前記案内通路部と前記揺動通路部の連通部分に前記接触防止部の端部が位置すると共に、前記接触防止部の端部は、前記案内通路部側から前記揺動通路部側へかけて厚みが漸増していることを特徴とする。
【００２０】
請求項１６の発明は、請求項１４又は１５において、前記案内通路部は遊技球を略垂直方向へ流下可能に略垂直に配設される一方、前記揺動通路部は前記案内通路部を流下して案内されてきた遊技球の転動方向を略水平方向へ変更可能に略水平に配設されることを特徴とする。
【００２１】
請求項１７の発明は、請求項５から１６の何れか一項において、前記装飾部材には、前記遊技盤に対する着脱自在な遊技盤取付部を備えることを特徴とする。
【００２２】
請求項１８の発明は、請求項５から１７の何れか一項において、前記転動通路面には前記接触防止部よりも遊技盤の前方側に、かつ前記接触防止部との間に遊技球の転動可能な間隔をあけて遊技球落下防止壁を形成したことを特徴とする。
【００２３】
請求項１９の発明は、請求項５から１８の何れか一項において、前記転動通路面は、前記遊技盤の前面に対して略平行な第一転動通路面と前記第一転動通路面の前方下方側にあって前記遊技盤の前面に対して略平行な第二転動通路面とを備え、前記第一転動通路面の後方側に前記立体装飾部が位置することを特徴とする。
【００２４】
請求項２０の発明は、遊技球が打ち込まれる遊技領域の形成された遊技盤と、前記遊技領域に配設された装飾部材と、を備え、前記装飾部材は前記装飾部材に進入してきた遊技球を転動させた後に落下させる転動通路空間を有する弾球遊技機において、前記転動通路空間には、遊技球が転動する転動通路面と、前記転動通路面に近接する凹部と凸部の双方あるいは一方の何れかにより形成されて前記転動通路面との位置関係が略垂直の立体装飾部と、前記転動通路面と前記立体装飾部との近接領域に、前記転動通路面を転動する遊技球が前記立体装飾部に接触することを防止するために形成された接触防止部と、を備えたことを特徴とする。
【発明の効果】
【００２５】
請求項１の発明によれば、前記転動通路空間は第一区画部材と第二区画部材で構成されており、前記第一区画部材と前記第二区画部材のうち何れか少なくとも一方の区画部材には前記転動通路空間内に突出した立体装飾部を設ける一方、前記遊技球進入部から前記転動通路空間に進入してきた遊技球を前記立体装飾部に接触するのを避ける方向へ進路変更させる接触防止部を、前記遊技球進入部から離して前記転動通路空間内に設けたことにより、立体装飾部を形成することが可能になり、さらに遊技球が立体装飾部に接触する可能性を低減させたことにより、及び遊技球の転動可能な転動可能幅を、前記遊技球進入部から前記接触防止部までの区間よりも前記接触防止部が設けられた区間の方で幅狭にしたことにより、遊技球を安定して転動することが可能になり、遊技球の動きが調整し易くなる。
【００２６】
請求項２の発明によれば、前記接触防止部は、前記遊技球進入部から進入してきた遊技球を徐々に進路変更可能なように前記遊技球進入部側の端部が流線形からなるため、前記遊技球進入部から進入してきた遊技球が前記接触防止部によって失速することなく、滑らかに進路変更することが可能である。
【００２７】
請求項３の発明によれば、前記転動通路空間は、第一転動通路空間と第二転動通路空間が連通してなり、前記第一転動通路空間は、上方に前記遊技球進入部が形成されると共に前記遊技球進入部から進入した遊技球を略垂直方向へ流下させるように略垂直に配設される一方、前記第二転動通路空間は、前記第一転動通路空間から流下してきた遊技球の転動方向を略水平方向へ変更可能に略水平に配設されると共に、前記第二転動通路空間内に前記立体装飾部及び前記接触防止部が形成されているため、前記第一転動通路空間を遊技球が失速することなく流下することが可能である。
【００２８】
請求項４の発明によれば、前記第一区画部材と前記第二区画部材とは、前記遊技盤に対して、前後方向に組み合わされており、前記第一区画部材と前記第二区画部材のうち後方側の区画部材に前記立体装飾部を設けたことにより、遊技者が前方側から立体装飾部を視認し易くなることが可能である。
【００２９】
請求項５の発明によれば、前記転動通路空間には、遊技球が転動する転動通路面と、前記転動通路面に近接すると共に凹部と凸部の双方あるいは一方の何れかにより形成されて前記転動通路面との位置関係が略垂直の立体装飾部と、前記転動通路面と前記立体装飾部との近接領域に、前記転動通路面を転動する遊技球が前記立体装飾部に接触することを防止するために形成された接触防止部とを備えたことにより、立体装飾部を形成することが可能になり、さらに遊技球が立体装飾部に接触する可能性を低減させたことにより、遊技球を安定して転動することが可能になり、遊技球の動きが調整し易くなる。
【００３０】
請求項６の発明によれば、前記転動通路面の少なくとも一部と前記立体装飾部の少なくとも一部は別部材で構成され、前記接触防止部は、前記転動通路面側と前記立体装飾部側の双方あるいは何れか一方に形成されていることにより、立体装飾部を形成し易くなる。
【００３１】
請求項７の発明によれば、前記転動通路面の少なくとも一部と前記立体装飾部の少なくとも一部は一体に形成され、前記接触防止部は、前記転動通路面側と前記立体装飾部側の双方あるいは何れか一方に形成されていることにより、少ない数の部材で前記転動通路面と前記立体装飾部を形成することができる。
【００３２】
請求項８の発明によれば、前記装飾部材は、前記転動通路面の形成された転動通路面用部材と、前記立体装飾部の形成された特定装飾部材とを少なくとも備え、前記特定装飾部材が、前記電気的遊技装置と前記転動通路面用部材との間に設けられると共に前記電気的遊技装置の少なくとも一部を保護する保護部材であることにより、転動通路面を転動する遊技球が電気的遊技装置に接触するのを防止することが可能である。
【００３３】
請求項９の発明によれば、前記接触防止部が、前記転動通路面用部材又は前記特定装飾部材の双方又は何れか一方に形成されていることにより、前記転動通路面を転動する遊技球が前記立体装飾部に接触することを防止することが可能になる。
【００３４】
請求項１０の発明によれば、前記接触防止部は、前記転動通路面を転動する遊技球が接触する遊技球接触面を備え、前記遊技球接触面が平坦面であることにより、遊技球が前記接触防止部によって失速することを低減することが可能である。
【００３５】
請求項１１の発明によれば、前記遊技領域には遊技球の入賞領域が設けられ、前記転動通路空間には前記転動通路面を転動する遊技球を落下させて前記入賞領域へ誘導する遊技球誘導形状からなる遊技球誘導部を設けたことにより、転動通路面を転動する遊技球を入賞領域に誘導することが可能であり、遊技の趣向性が高まる。
【００３６】
請求項１２の発明によれば、前記接触防止部は、前記転動通路面を転動する遊技球が前記立体装飾部に接触しないように前記遊技盤に対して前方方向に厚みを有することにより、遊技球が立体装飾部に接触することが低減する。
【００３７】
請求項１３の発明によれば、前記立体装飾部は、前記転動通路面を転動する遊技球の最上部よりも下方側に前記凹部と前記凸部の双方あるいは一方の少なくとも一部が形成されていることにより、立体装飾部をより広い面積に設けることが可能である。
【００３８】
請求項１４の発明によれば、前記転動通路空間は、前記遊技球が揺動可能な揺動通路部と、前記遊技領域を流下する遊技球を前記揺動通路部へ案内する案内通路部とよりなり、前記揺動通路部に前記接触防止部を設けたことにより、遊技領域を流下する遊技球を揺動通路部へ案内することが可能であり、さらに揺動通路部では遊技球の揺動が可能であり、遊技球の動きに対して趣向性が高まる。
【００３９】
請求項１５の発明によれば、前記案内通路部と前記揺動通路部の連通部分に前記接触防止部の端部が位置すると共に、前記接触防止部の端部は、前記案内通路部側から前記揺動通路部側へかけて厚みが漸増していることにより、遊技球が案内通路部から揺動通路部へ失速することなく滑らかに転動することが可能である。
【００４０】
請求項１６の発明によれば、前記案内通路部は遊技球を略垂直方向へ流下可能に略垂直に配設される一方、前記揺動通路部は前記案内通路部を流下して案内されてきた遊技球の転動方向を略水平方向へ変更可能に略水平に配設されることにより、遊技領域を流下する遊技球が失速することなく案内通路部を流下することが可能である。
【００４１】
請求項１７の発明によれば、前記装飾部材には、前記遊技盤に対する着脱自在な遊技盤取付部を備えることにより、転動通路空間を有する装飾部材を遊技盤面に取り付けることが可能になる。
【００４２】
請求項１８の発明によれば、前記転動通路面には前記接触防止部よりも遊技盤の前方側に、かつ前記接触防止部との間に遊技球の転動可能な間隔をあけて遊技球落下防止壁を形成したことにより、転動通路面を転動する遊技球が前方方向に落下することを防止可能である。
【００４３】
請求項１９の発明によれば、前記転動通路面は、前記遊技盤の前面に対して略平行な第一転動通路面と前記第一転動通路面の前方下方側にあって前記遊技盤の前面に対して略平行な第二転動通路面とを備え、前記第一転動通路面の後方側に前記立体装飾部が位置することにより、遊技球の動きが多様になり、遊技球の動きに対して趣向性が高まる。
【００４４】
請求項２０の発明によれば、前記装飾部材には前記装飾部材に進入してきた遊技球を転動させた後に落下させる転動通路空間を有する弾球遊技機において、前記転動通路空間には、遊技球が転動する転動通路面と、前記転動通路面に近接する凹部と凸部の双方あるいは一方の何れかにより形成されて前記転動通路面との位置関係が略垂直の立体装飾部と、前記転動通路面と前記立体装飾部との近接領域に、前記転動通路面を転動する遊技球が前記立体装飾部に接触することを防止するために形成された接触防止部とを備えたことにより、立体装飾部を形成することが可能になり、さらに遊技球が立体装飾部に接触する可能性を低減させたことにより、遊技球を安定して転動することが可能になり、遊技球の動きが調整し易くなる。
【発明を実施するための最良の形態】
【００４５】
以下、添付の図面に基づき本発明の実施形態を説明する。図１は本発明の一実施例に係る遊技機全体を示す正面図、図２は同遊技機の裏面図、図３は同遊技機におけるセンター役物に用いられる装飾部材の斜視図、図４は同装飾部材の正面図、図５は図４のＡ−Ａ断面図及び接触防止部が無い場合のＡ−Ａ参考断面図、図６は同装飾部材について前面飾り部材を省略して示す分解斜視図、図７は同装飾部材について特定装飾部材（第一区画部材）と転動通路面用部材と案内通路部用部材の分解斜視図、図８は同装飾部材について特定装飾部材（第一区画部材）と転動通路面用部材と案内通路部用部材を組み合わせた状態の斜視図、図９は図８のＢ矢視図である。なお、転動通路面用部材及び案内通路部用部材が第二区画部材に相当する。
【００４６】
図１に示す一実施例の弾球遊技機１は、遊技媒体として遊技球を用いるパチンコ遊技機であって、遊技盤３の縁に配置された外レール４及び内レール５で包囲される遊技領域６が前記遊技盤３上に設けられている。前記遊技領域６の中心線上にその上部から下部に向かって順にセンター役物９、始動入賞口１０、特別電動役物である大入賞口１５、アウト口１７が配設され、また中央左には普通図柄変動開始用ゲート１９、その下側に風車２２、さらにその下方左右に左袖入賞口２３と右袖入賞口２５、その下方に左落とし入賞口２７と右落とし入賞口２９が配設されている。前記遊技領域６には、前記遊技領域６に打ち込まれた遊技球の自由な流下を阻止し、流下方向を調整する誘導釘Ｊが立設されている。
【００４７】
また、前記弾球遊技機１の前面側には、枠飾り左上ランプ３５ａ、枠飾り右上ランプ３５ｂ、枠飾り左ランプ３５ｃ、枠飾り右ランプ３５ｄ、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を前記遊技領域６に向けて弾発発射する球発射装置６４が設けられている。さらに前記弾球遊技機１には、プリペイドカードユニット６６が接続されている。前記球発射装置６４の操作レバー６５の操作によって発射された遊技球は、前記外レール４と前記内レール５間を通って前記遊技盤３の遊技領域６へ打ち込まれる。なお、符号Ｆ１は遊技機の外枠、Ｆ２は外枠Ｆ１に取り付けられた前枠、Ｇは前枠Ｆ２に開閉可能にヒンジで取り付けられたガラス枠である。以下主要な部分について説明する。
【００４８】
前記センター役物９は表示装置（請求項５の「遊技状態を報知する電気的遊技装置」に相当する。）９００と、前記表示装置９００の前面外周を覆う装飾部材９１０とよりなる。前記表示装置９００は、前記表示装置９００の大部分を占める特別図柄表示部９０１と、前記特別図柄表示部９０１の左下に組み込まれた普通図柄表示部９０２とで構成される。前記特別図柄表示部９０１は、液晶，ドットマトリックス若しくはＬＥＤ表示装置等からなる。本実施例では、液晶表示器（ＴＦＴ−ＬＣＤモジュール）で構成される。前記普通図柄表示部４５は、前記液晶表示器の一部を表示領域としている。
【００４９】
前記特別図柄表示部９０１は、図柄を可変表示可能なものとされ、左右に並ぶ左側表示領域、中央表示領域、右側表示領域の３つに分割された特別図柄表示領域を有し、前記特別図柄表示領域に大当たりの当否判定結果用の特別図柄が表示される。前記左側表示領域には左特別図柄が、中央表示領域には中特別図柄が、右側表示領域には右特別図柄が変動表示及び停止表示可能とされ、停止表示された図柄組合せによって当否判定結果が表示され、それによって遊技者に当否判定結果（請求項５における「遊技状態」の一種）を報知する。本実施例における前記左側表示領域、中央表示領域、右側表示領域にそれぞれ表示される特別図柄は、『０，１，２，３，４，５，６，７，８，９，１０，１１』の１２種類の図柄とされ、所定条件に起因して変動及び停止表示される。また、前記特別図柄表示部９０１には、前記特別図柄とは異なる画像、例えば前記特別図柄とは異なる他の図柄、キャラクター画像、背景画像、文字画像等が前記特別図柄に加えて表示可能とされ、前記他の図柄、キャラクター画像、背景画像、文字画像等が特別図柄の変動開始等の所定条件に起因して変動表示可能となっている。
【００５０】
前記普通図柄表示部９０２は、小当たり判定図柄として記号或いは絵等からなる普通図柄を変動表示及び停止表示可能とされている。本実施例における前記普通図柄表示部９０２に変動及び停止表示される普通図柄（小当たり判定図柄）は、『０，１，２，３，４，５，６，７，８，９』の１０通りの図柄とされており、所定条件に起因して変動及び停止表示される。
【００５１】
前記装飾部材９１０は、請求項１の「転動部材」に相当するもので、前記表示装置（電気的遊技装置）９００の前面外周を包囲するようにして前記遊技盤３の前面に取り付けられている。前記装飾部材（転動部材）９１０は、図３に示すように、前記遊技領域６を流下する遊技球が進入する遊技球進入部９５３と、前記遊技球進入部９５３から進入してきた遊技球を転動させた後に落下させる転動通路空間９７１とを有する。
【００５２】
前記転動通路空間９７１は、揺動通路部９７３と案内通路部９７５とより構成される。前記揺動通路部９７３は、請求項３における「第二転動通路空間」に相当するもので、遊技球を略水平方向へ揺動（転動）可能とする通路部分であり、それに対し、前記案内通路部９７５は、請求項３における「第一転動通路空間」に相当するもので、前記遊技領域６を流下する遊技球を前記遊技球進入部９５３から前記揺動通路部（第二転動通路空間）９７３へ案内する通路部分である。前記案内通路部（第一転動通路空間）９７５は、遊技球が略垂直方向へ流下可能に垂直に配設される一方、前記揺動通路部（第二転動通路空間）９７３は、前記案内通路部９７５を流下して案内されてきた遊技球の転動方向を略水平方向へ変更可能に略水平に配設される。図示の例では、前記装飾部材９１０の左側（前記表示装置９００の左側）に前記案内通路部（第一転動通路空間）９７５が略垂直に配設され、前記装飾部材９１０の下部（前記表示装置９００の下側）に前記揺動通路部（第二転動通路空間）９７３が略水平に配設されて前記案内通路部（第一転動通路空間）９７５の下端と前記揺動通路部（第二転動通路空間）９７３の左端が連通している。
【００５３】
また、前記転動通路空間９７１には、遊技球が転動する転動通路面９４９と、立体装飾部９６７と、接触防止部９４５を備える。
【００５４】
前記転動通路面９４９は、前記転動通路空間９７１に進入してきた遊技球が転動する転動通路床面に相当するもので、本実施例では、前記揺動通路部（第二転動通路空間）９７３に設けられている。さらに本実施例では、前記転動通路面９４９は、前記遊技盤３の前面に対して略平行な第一転動通路面９４２と、前記第一転動通路面９４２の前方下方側にあって前記遊技盤３の前面に対して略平行な第二転動通路面９４３を備え、前記上側の第一転動通路面９４２に前記案内通路部（第一転動通路空間）９７５から遊技球が進入して前記第一転動通路面９４２を転動可能とされている。さらに、本実施例では、前記第一転動通路面９４２には、前記遊技盤３の前方側に、かつ前記接触防止部９４５との間に遊技球の転動可能な間隔をあけて遊技球落下防止壁９４６が、前記第一転動通路面９４２の水平方向中央部に所定長で形成されている。なお、前記第一転動通路面９４２の両端９４７は所定長にわたって前記遊技球落下防止壁９４６が存在せず、前記第一転動通路面９４２の両端９４７の前端側から前記第二転動通路面９４３へ遊技球が落下可能にされている。
【００５５】
前記転動通路空間９７１には、前記第一転動通路面９４２を転動する遊技球を落下させて、下方に位置する前記始動入賞口１０の入賞領域へ誘導する遊技球誘導形状からなる遊技球誘導部９６４が形成されている。図示の例の遊技球誘導部９６４は、前記揺動通路部（第二転動通路空間）９７３の略中央部に設けられ、前記第一転動通路面９４２の後端（遊技盤３側の端部）部分に、前記後端部分と当接して略垂直に起立している起立面９６３との間に遊技球落下用孔９６５を形成するように、前記起立面９６３の一部が後方へ湾曲した凹面で構成され、前記遊技球落下用孔９６５を通って落下した遊技球が前記装飾部材１００の下部前面の球出口９３５から前記始動入賞口１０の真上に排出されるように形成されている。なお、前記遊技球誘導部９６４が存在する部分については、立体装飾部９６７及び接触防止部９４５が設けられていない。
【００５６】
前記立体装飾部９６７は、前記転動通路面９４９に近接すると共に凹部と凸部の双方あるいは一方の何れかにより形成され、前記転動通路面９４９との位置関係が略垂直とされて前記転動通路空間９７１内に突出している。図示の例では、前記揺動通路部（第二転動通路空間）９７３において、前記第一転動通路面９４２の後端（表示装置に近い側）側で略垂直に起立している前記起立面９６３に、前記転動通路空間９７１（図示の例では第二転動通路空間（揺動通路部９７３））内へ突出する凹凸の立体模様からなる立体装飾部９６７が形成されている。前記立体装飾部９６７は、前記転動通路面９４９（図示の例では第一転動通路面９４２）を転動する遊技球の最上部よりも下方側に、前記凹部と前記凸部の双方あるいは一方の少なくとも一部が形成されている。また、本実施例では、前記第一転動通路面９４２側のみに立体装飾部９６７が設けられ、前記第二転動通路面９４３側には立体装飾部９６７が設けられていないが、前記第二転動通路面９４３側にも立体装飾部９６７を設けるようにしてもよい。
【００５７】
前記接触防止部９４５は、前記遊技球進入部９５３から前記転動通路空間９７１へ進入してきた遊技球が、前記転動通路面９４９（図示の例では第一転動通路面９４２）を転動する際に前記立体装飾部９６７に接触するのを避ける方向へ進路変更させるためのもので、図３及び図８等に示すように、前記遊技球進入部９５３から離して前記転動通路空間９７１（図示の例では揺動通路部（第二転動通路空間）９７３）内に形成されている。前記接触防止部９４５は、前記立体装飾部９６７が存在する前記揺動通路部（第二転動通路空間）９７３において、前記第一転動通路面９４２と前記立体装飾部９６７との近接領域に、少なくとも前記立体装飾部９６７が存在する範囲に渡って、略水平方向に立設されている。なお、前記「近接領域」は、「近くの位置」を意味する。
【００５８】
図示の接触防止部９４５は、前記第一転動通路面９４２に立設された低い壁状からなり、図９に示すように、前記第一転動通路面９４２における前記接触防止部９４５の前方側に、遊技球の転動可能な転動可能幅ｈ２が残る位置に形成され、かつ前記接触防止部９４５に沿って転動する遊技球が前記立体装飾部９６７の前面と接触しない位置及び高さに設けられる。前記遊技球の転動可能幅は、前記遊技球進入部９５３から前記接触防止部９４５までの区間の幅ｈ１よりも、前記接触防止部９４５が設けられた区間の幅ｈ２の方が幅狭となるように設定されている。
【００５９】
前記接触防止部９４５は、前記第一転動通路面９４２における前記接触防止部９４５が存在する範囲を遊技球が転動する際に、遊技球が前記立体装飾部９６７の前面に接触しないように、前記遊技盤３の前方方向に厚みを有する壁状のもので形成されている。また、前記接触防止部９４５は、前面側が、前記第一転動通路面９４２を転動する遊技球と接触する遊技球接触面９４５ａとされ、前記遊技球接触面９４５ａが平坦面で構成されている。さらに、前記接触防止部９４５の一端部９４５ｂは、前記案内通路部（第一転動通路空間）９７５と前記揺動通路部（第二転動通路空間）９７３の連通部分（境界部分付近）に位置し、前記案内通路部（第一転動通路空間）９７５内については前記接触防止部９４５を設けないことにより、前記案内通路部（第一転動通路空間）９７５で遊技球の流下速度が低下する可能性を低減し、前記揺動通路部（第二転動通路空間）９７３では前記立体装飾部９６７に遊技球が接触する可能性を低減している。但し、前記案内通路部９７５において立体装飾部９６７を設ける場合には前記接触防止部９４５を延長し、一端部９４５ｂを前記案内通路部９７５の途中に位置する構成にしてもよい。この構成にすることで、前記案内通路部９７５を通過する遊技球が前記立体装飾部９６７に接触するのを防止可能なため、遊技球の流下速度が低下する可能性を低減することが可能である。
【００６０】
また、前記案内通路部（第一転動通路空間）９７５と前記揺動通路部（第二転動通路空間）９７３の連通部分（境界部分付近）に位置する前記接触防止部９４５の端部９４５ｂは、前記案内通路部（第一転動通路空間９７５）側から前記揺動通路部（第二転動通路空間）９７３側へかけて厚みが漸増しており、遊技球が前記案内通路部（第一転動通路空間）９７５から揺動通路部（第二転動通路空間）９７３へ失速することなく滑らかに転動することが可能とされている。本実施例では、前記接触防止部９４５の端部９４５ｂは、前記案内通路部（第一転動通路空間）９７５側から揺動通路部（第二転動通路空間）９７３側へかけて厚みの漸増する形状にして前記遊技球の失速をより効果的に防ぎ、また遊技球を徐々に進路変更可能なように（前記立体装飾部９４５から離れるように）流線形にされている。
【００６１】
前記装飾部材（転動部材）９１０は、中央に前記表示装置９００のための窓９１１が形成された枠状のもので、図３及び図６等に示すように、前面飾り９２５、本体部材９３１、転動通路面用部材９４１、案内通路部用部材９５１、特定装飾部材９６１よりなる。
【００６２】
前記前面飾り９２５は、前記本体部材９３１の前面に取り付けられて前記装飾部材（転動部材）９１０の装飾性を向上させるものであり、本実施例では複数の金属調飾りや着色飾り部材等からなる。
【００６３】
前記本体部材９３１は、前記装飾部材９１０の前側部材を構成し、図６に示すように中央が前記表示装置９００用の窓９３２として開口し、前記窓９３２の周辺部分には、前記前面飾り９２５や転動通路面用部材９４１、案内通路部用部材９５１及び特定装飾部材９６１に対する固定用としてのネジ孔や、筒部（ボス）や嵌合部等からなる固定部９３３ａ，９３３ｂ、及び前記遊技盤３に対する着脱自在な遊技盤取付部９３４が形成されている。図示の例の遊技盤取付部９３４は、ネジ用孔で構成されている。また、前記本体部材９３１の前面下部には、前記球出口９３５が形成されている。
【００６４】
前記転動通路面用部材９４１は、請求項１及び４における、遊技盤に対して前後方向に組み合わされる第一区画部材又は第二区画部材に相当し、本実施例では、前方側から組み合わされる第二区画部材の一部とされている。前記転動通路面用部材９４１は、図７にも示すように、前記第一転動通路面９４２の前方下方に前記第二転動通路面９４３が並設され、かつ前記第一転動通路面９４２と前記第二転動通路面９４３が互いに水平方向に沿って形成された横長な部材からなり、前記第一転動通路面９４２の後端には略中央に、前記遊技球落下用孔９１３の一部を構成する略半円形の切り欠き９４４が形成され、前記切り欠き９４４の両側に前記接触防止部９４５が低い壁状に立設されている。前記第一転動通路面９４２の両端９４２ａ，９４２ｂは上方へ湾曲していて、一端（図示の例では左端）９４２ａが前記案内通路部用部材９５１の下端と当接するようになっている。前記第一転動通路面９４２の前端には、その両端付近９４７を除いて前記遊技球落下防止壁９４６が形成され、前記遊技球落下防止壁９４６の無い両端付近９４７から遊技球が前記第二転動通路面９４３へ落下可能にされている。前記第二転動通路面９４３は、中央部９４３ａが上方へ膨らんで湾曲した形状からなり、前記湾曲した中央部９４３ａの両側の前端が下方へ向けた凹部９４３ｂとされ、前記凹部９４３ｂから遊技球が下方へ落下可能に構成されている。なお第二転動通路面９４３の両端９４３ｃは垂直壁となって、それ以上遊技球が水平方向へ転動できないようになっている。
【００６５】
前記案内通路部用部材９５１は、後面が開放された上下方向の筒状部９５２を有し、前記筒状部９５２の前面に上方へ開口した遊技球進入部９５３が設けられている。前記案内通路部用部材９５１は、第二区画部材の一部に相当し、前記特定装飾部材９６１の左前面の略垂直部９６１ａに組み合わされることにより、前記案内通路部（前記第一転動通路空間）９７５を構成し、前記遊技球進入部９５３から進入した遊技球が前記案内通路部用部材９５１の下端から前記転動通路面用部材９４１の第一転動通路面９４２の左端に流下可能になっている。前記案内通路部用部材９５１は、前記本体部材９３１の後面に形成されている固定部９３３ｂに嵌合固定され、前記本体部材９３１と前記特定装飾部材９６１とで挟持される。
【００６６】
前記特定装飾部材９６１は、前記装飾部材９１０の後面を構成すると共に前記表示装置（電気的遊技装置）９００の前面外周を保護する保護部材を構成し、前記表示装置（電気的遊技装置）９００と前記転動通路面用部材９４１の間に設けられる。さらに、前記特定装飾部材９６１は、前記転動通路面用部材９４１との関係においては、請求項１及び４における、前後方向に組み合わされる第一区画部材又は第二区画部材に相当する。本実施例では、前記特定装飾部材９６１は、後方側から組み合わされる第一区画部材とされ、前記転動通路面用部材９４１（第二区画部材）との組合せによって前記揺動通路部（第二転動通路空間）９７３を構成する。なお、本実施例では、第一区画部材と第二区画部材が前後方向に組み合わさる構成にしているが、それに限るものではなく、例えば、第一区画部材と第二区画部材が遊技盤３に対して左右方向や斜め方向に組み合わさる構成としてもよい。これにより、どの方向においても立体装飾部や接触防止部を設けることが可能であり、また装飾性を高めることが可能であり、遊技球が安定して転動することが可能である。また、転動通路空間を構成する第一区画部材と第二区画部材のうち、本実施例では、第一区画部材に相当する前記特定装飾部材９６１は一体的に形成されているが、それに限るものではなく、例えば、第一区画部材が少なくとも２つの異なる第三区画部材と第四区画部材により構成され、第一転動通路空間を第二区画部材の一部（本実施例では案内通路部用部材９５１）と前記第三区画部材で構成し、第二転動通路空間を前記第一転動通路空間用の第二区画部材の部分とは異なる第二区画部材の一部（本実施例では転動通路面用部材９４１）と前記第四区画部材で構成するものとしてもよい。第一区画部材を少なくとも２つの区画部材で構成したことにより、一体的に構成されたものよりも転動通路空間をより多様な方向に形成することが可能であり、遊技球の動きも多様になる。また、本実施例において、前記第二区画部材は、前記案内通路部用部材９５１と前記転動通路面用部材９４１との別部材により構成されているが、それに限るものではなく、一つの部材（すなわち、前記案内通路部用部材９５１と前記転動通路面用部材９４１が一体に形成されている部材）で前記第二区画部材を構成してもよい。
【００６７】
前記特定装飾部材９６１は、前記本体部材９３１とほぼ等しい大きさの枠形状からなり、中央が表示装置９００用の窓９６２として開口し、前記窓９６２の下方が前記起立面９６３とされ、前記起立面９６３の上端９６３ａから所定距離下方位置に前記第一転動通路面９４２が位置するように、前記転動通路面用部材９４１が前記起立面９６３の前側に組み合わされる。前記第一転動通路面９４２から前記起立面９６３の上端９６３ａまでの距離は、前記遊技球の直径以上とされている。前記転動通路面用部材９４１における前記第一転動通路面９４２の後端の前記略半円形切り欠き９４４と対向する前記起立面９６３の略中央位置には、遊技球が通過できる大きさで後方へ湾曲した凹面からなる前記遊技球誘導部９６４が上下方向に形成され、前記遊技球誘導部９６４の下端９６４ａは前方へ屈曲して前記本体部材９３１の前面下部の球出口９３５に通じるようにされている。なお、前記遊技球誘導部９６４と前記第一転動通路面９４２における略半円形の切り欠き９４４との組合せによって、前記遊技球落下用孔９６５が構成される。
【００６８】
前記起立面９６３の前面には、前記遊技球誘導部９６４の左右に前記立体装飾部９６７が形成されている。前記立体装飾部９６７は、前記起立面９６３において前記第一転動通路面９４２を転動する遊技球の最上部（頂部位置）よりも下方側に形成されている。
【００６９】
前記特定装飾部材９６１は、前記窓９６２の周辺に形成されている固定用孔９６８を介して前記本体部材９３１の固定部９３３ａにネジ止め固定される。また、前記特定装飾部材９６１と前記本体部材９３１間に前記転動通路面用部材９４１と前記案内通路部用部材９５１が挟持される。
【００７０】
このようにしてなる前記装飾部材９１０は、前記表示装置９００の前面外周を包囲するようにして前記遊技盤３の前面に、前記本体部材９３１の遊技盤取付部９３４をネジ止めすることにより取り付けられ、前記遊技球誘導部９６４の直下に前記始動入賞口１０が位置するように配設される。そして、前記遊技領域６を流下する遊技球が前記装飾部材６１０の遊技球進入部９５３から進入すると、前記遊技球は、前記案内通路部（前記第一転動通路空間）９７５を略垂直に流下して前記揺動通路部（前記第二転動通路空間）９７３の前記第一転動通路面９４２に至り、前記第一転動通路面９４２における前記立体装飾部９６７の前方を略水平方向へ転動する。その際、前記第一転動通路面９４２には前記接触防止部９４５が前記立体装飾部９６７の前方に形成されているため、前記案内通路部（前記第一転動通路空間）９７５から前記揺動通路部（前記第二転動通路空間）９７３の前記第一転動通路面９４２に至った遊技球は、前記接触防止部９４５の前面に沿って前方側へ進路変更しながら水平方向へ転動することになり、前記立体装飾部９６７に接触するのを避けて失速することなく転動することが可能になる。また、前記第一転動通路面９４２の水平方向の中央に至った遊技球は、前記遊技球落下用孔９６５から落下し、前記遊技球誘導部９６４を通って前記装飾装置９１０の前面下部の球出口９３５から排出され、前記装飾装置９１０の下方の前記始動入賞口１０へ誘導される。その際、前記第一転動通路面９４２の略中央部の前端には前記遊技球落下防止壁９４６が存在するため、前記第一転動通路面９４２の略中央部の前端から前記第二転動通路面９４３へ落下するのが低減され、前記遊技球落下用孔９６５から落下して前記遊技球誘導部９６４により前記始動入賞口１０へ誘導され易くなる。また、前記第一転動通路面９４２の両端付近では前記遊技球落下防止壁９４５が存在しないため、前記第一転動通路面９４２から前記第二転動通路面９４３へ落下するのが可能である。
【００７１】
前記始動入賞口１０には、２つの可動片（羽根状役物）１０ａ，１０ｂが設けられ、前記２つの可動片１０ａ，１０ｂ間が、始動入賞領域（請求項１１の「入賞領域」に相当する。）とされ、前記装飾部材９１０における前面下部の球出口９３５から排出された遊技球が前記入賞領域へ落下誘導されるようになっている。前記２つの可動片１０ａ，１０ｂは、背面の始動入賞口用ソレノイドにより略垂直な平行状態と、略Ｖ字形（逆ハの字形）をした拡開状態間を変化可能とされている。前記可動片１０ａ，１０ｂが略垂直な平行状態になると、遊技球が前記可動片１０ａ，１０ｂ間を通って始動入賞口１０へ入球し難くなり、それに対し、前記可動片１０ａ，１０ｂが拡開状態になると、遊技球が前記可動片１０ａ，１０ｂ間を通って前記始動入賞口１０へ入球しやすくなる。本実施例では、前記可動片１０ａ，１０ｂは、通常時に略垂直状態とされ、前記普通図柄表示部９０２の普通図柄（小当たり判定図柄）が変動した後、予め決められた特定の普通図柄で確定停止表示されて小当たり（普通図柄当たり）が表示されることにより、前記拡開状態となる。
【００７２】
また、前記遊技盤３の背面には、前記始動入賞口１０に入球（入賞）した遊技球を検出する特別図柄変動開始スイッチ（始動入賞口センサー）が入球遊技球（入賞球）用通路に設けられており、該入球遊技球（入賞球）が検出されると、遊技の大当たりを判定するための大当たり判定用乱数が取得され、前記特別図柄柄表示部９０１で特別図柄の変動が開始される。そして、前記取得された大当たり判定用乱数が大当たりであったことを契機に、前記特別図柄表示部９０１で特別図柄が特定の図柄組み合わせで停止表示されて大当たりが表示される（請求項１における「遊技状態の報知」の一種に相当する。）と共に、大当たりまでの通常遊技に比べ遊技者にとって有利な特別遊技が実行される。
【００７３】
前記普通図柄変動開始用ゲート１９は、小当たり用始動入賞口に相当するものであり、前記遊技盤３の背面には遊技球が前記普通図柄変動開始用ゲート１９に入球したことを検出する普通図柄変動開始スイッチを備えている。前記普通図柄変動開始スイッチで遊技球が検出されると、遊技の小当たりを判定するための小当たり判定用乱数が取得され、前記普通図柄表示部９０２で普通図柄の変動が開始する。前記取得された小当たり判定用乱数が小当たりの場合には、前記普通図柄表示部９０２で普通図柄が特定の図柄で停止表示されることによって小当たりが表示され、前記始動入賞口１０の前記可動片１０ａ，１０ｂが拡開状態になる。
【００７４】
また、前記左袖入賞口２３と右袖入賞口２５には入賞球（入球遊技球）を検出する左袖入賞口用検出スイッチと右袖入賞口用検出スイッチが、他方前記左落とし入賞口２７と右落とし入賞口２９には入賞球（入球遊技球）を検出する左落とし入賞口用検出スイッチと右落とし入賞口用検出スイッチが、それぞれ対応する遊技盤背面に設けられている。
【００７５】
前記大入賞口１５は、遊技盤背面の大入賞口開放用ソレノイドによって開閉する開閉板６１を備えている。この大入賞口１５は、通常は開閉板６１が閉じた状態とされ、当該大入賞口１５の一部には、該大入賞口１５が開いた際に開口して入賞（入球）可能にする特定領域入賞口６３を有する。さらに、前記特定領域入賞口６３には、所定条件時に特定領域開放用ソレノイドにより開閉される開閉扉（図示せず）が設けられている。また、前記特定領域入賞口６３には特定領域入賞口６３への入賞球（入球遊技球）を検出する特定入賞球検出スイッチ（特定領域センサー）が設けられ、該入賞球の検出により大入賞口１５を再度開ける継続権利が成立するようにされている。前記大入賞口１５内の略中央には、前記大入賞口１５に入賞し、かつ前記特定領域入賞口６３に入賞しなかった入賞球を検出する入賞球数カウントスイッチ（カウントセンサー）が設けられている。
【００７６】
前記大入賞口１５は、前記特別遊技状態時に前記開閉板６１が開いて前記遊技領域６の表面を落下してくる遊技球を受け止め、前記大入賞口１５へ入賞（入球）可能にする。そして、前記大入賞口１５への入賞があると、賞球払出装置により所定数の遊技球が賞球として払い出される。前記大入賞口１５の開閉板６１は、所定時間（例えば２９．５秒）経過後、或いは前記入賞球数カウントスイッチ（カウントセンサー）で検出された入賞球数が所定個数（例えば１０個）となった時点で閉じるようにされている。
【００７７】
また、前記大入賞口１５の開放中又は大入賞口１５が閉じてから約２秒以内に、前記特定領域入賞口６３への入賞球を特定入賞球検出スイッチが検出すると、前記大当たりを再度繰り返す継続権利が発生し、所定最高回数（例えば最高１５回又は１３回）、前記開閉板６１の開放を繰り返すようになっている。
【００７８】
前記発射装置６４は、操作レバー６５の操作により遊技機内側の発射モータが作動して遊技球を弾発発射するようになっている。前記発射装置６４により発射された発射球は、前記遊技盤面に立設された外側誘導レール４と内側誘導レール５間で構成される発射球誘導路を介して遊技領域６に誘導される。前記発射球誘導路により遊技領域６に誘導された遊技球は、転動しつつ下方へ落下し、前記始動入賞口１０や各入賞口に入賞（入球）するか、或いは何処にも入賞（入球）しなければ前記アウト口１７から遊技盤３の裏側へ排出される。
【００７９】
また、前記弾球遊技機１の裏側には、遊技を制御するための複数の制御基板（基板には制御回路が組み込まれている。）や装置が設けられている。図２は遊技機１の裏面を示すものであり、前記制御基板の主なものとして、主制御基板１００、表示制御基板１１０、ランプ制御基板１２０、払出制御基板１３０、音声制御基板１４０、電源基板１５０、発射制御基板１６０等が示されている。符号１３１は払出装置（貸球払出装置と賞球払出装置）を示す。
【００８０】
前記主制御基板１００は、プログラムに従って制御動作を行うＣＰＵ、該ＣＰＵのワーク用メモリとして機能するＲＡＭ、遊技制御用プログラムを記憶するＲＯＭを備え、前記プログラムの実施により初期設定、データの取得、大当たり当否判定、特別遊技の実行、データの記憶、データの読み出し、記憶、小当たり判定等、遊技の主制御を行う。前記主制御基板１００から出力される制御信号（コマンド）は、表示制御基板１１０やランプ制御基板１２０等の種々の副制御基板や装置を制御する。
【００８１】
前記表示制御基板１１０は、ＣＰＵ，ＲＡＭ，ＲＯＭを有し、入力回路を介して前記主制御基板１００と接続され、また出力回路を介して前記表示装置９００の特別図柄表示部９０１及び普通図柄表示部９０２に接続されている。前記表示制御基板１１０では、前記主制御基板１００から特別図柄の変動態様、停止特別図柄、各種遊技状態の制御信号（コマンド）を受信し、受信した制御信号に基づいて前記特別図柄表示部９０１における遊技の作動状態を制御し、遊技状態の報知を行うと共に前記普通図柄表示部９０２を制御する。
【００８２】
前記ランプ制御基板１２０は、前記枠飾り左上ランプ３５ａ、枠飾り右上ランプ３５ｂ、枠飾り左ランプ３５ｃ、枠飾り右ランプ３５ｄが接続され、前記各種ランプの発光制御を行う。
【００８３】
前記払出制御基板１３０では、前記払出装置（貸球払出装置と賞球払出装置）１３１による遊技媒体（賞品球や貸球）の払い出しを制御し、また前記発射制御基板１６０が接続されて前記発射装置６４による遊技球の発射を制御し、その他前記プリペイドカードユニット６６を制御する。
【００８４】
前記音声制御基板１４０は、音声発生手段としてのスピーカ３８が接続され、前記主制御基板１００から受信した音声制御信号（コマンド）に基づいて前記スピーカ３８からの音声発生を制御する。
【００８５】
また、前記主制御基板１００には、入出力回路あるいは中継経路を経て各種センサやスイッチ及びソレノイド等が接続されている。その他、前記主制御基板１００には、電源基板１５０が接続されている。
【００８６】
なお、本発明は前記の実施例に限定されるものではなく発明の趣旨を逸脱しない範囲で変更されてもよい。また、本実施例では、前記転動通路面と前記立体装飾部は別体で構成されているが、それに限るものではなく、少なくとも一部を一体に形成してもよい。一体に構成することで、少ない部材で装飾部材（転動部材）を形成することが可能である。また、本実施例では、装飾部材（転動部材）をセンター役物に適用したが、それに限るものではない。さらに、本実施例では前記接触防止部は、前記転動通路面の側に形成されているが、それに限るものではなく、前記立体装飾部の側に形成しても、あるいは双方に形成してもよい。さらにまた、本実施例では、前記遊技球誘導部によって遊技球が誘導される入賞領域として始動入賞口の入賞領域を示したが、それに限るものではなく、他の入賞口でもよい。
【００８７】
また、本実施例では、遊技球進入部から遊技球を略垂直方向へ落下させるようにしているが、それに限られるものではなく、遊技球進入部から遊技球が略水平方向へ進入するようにしてもよい。さらに、第一転動通路面の前端の遊技球落下防止壁に立体装飾部を第二転動通路面側へ向けて形成し、前記接触防止部を第二転動通路面に設けてもよい。
【図面の簡単な説明】
【００８８】
【図１】本発明の一実施例に係る遊技機全体を示す正面図である。
【図２】同遊技機の裏面図である。
【図３】同遊技機においてセンター役物に用いられる装飾部材の斜視図である。
【図４】同装飾部材の正面図である。
【図５】図４のＡ−Ａ断面図及び接触防止部が無い場合のＡ−Ａ参考断面図である。
【図６】同装飾部材について前面飾り部材を省略して示す分解斜視図である。
【図７】同装飾部材について特定装飾部材（第一区画部材）と転動通路面用部材と案内通路部用部材の分解斜視図である。
【図８】同装飾部材について特定装飾部材（第一区画部材）と転動通路面用部材と案内通路部用部材を組み合わせた状態の斜視図である。
【図９】図８のＢ矢視図である。
【符号の説明】
【００８９】
３  遊技盤
６  遊技領域
９  センター役物
１０  始動入賞口
９００  表示装置（電気的遊技装置）
９０１  特別図柄表示部
９０２  普通図柄表示部
９１０  装飾部材（転動部材）
９２５  前面飾り
９３１  本体部材
９４１  転動通路面用部材（第二区画部材）
９４２  第一転動通路面
９４３  第二転動通路面
９４５  接触防止部
９４９  転動通路面
９５１  案内通路部用部材（第二区画部材）
９５３  遊技球進入部
９６１  特定装飾部材（第一区画部材）
９６７  立体装飾部
９７１  転動通路空間
９７３  揺動通路部（第二転動通路空間）
９７５  案内通路部（第一転動通路空間）
【図１】
2005152489.tif 000003
【図２】
2005152489.tif 000004
【図３】
2005152489.tif 000005
【図４】
2005152489.tif 000006
【図５】
2005152489.tif 000007
【図６】
2005152489.tif 000008
【図７】
2005152489.tif 000009
【図８】
2005152489.tif 000010
【図９】
2005152489.tif 000011